(57)【特許請求の範囲】
【請求項１】
車両の後方に設けられた荷室の側方部に沿って設置されたフェンダパネルおよび荷室内側のトリム部材に形成された第１，第２開口により、ホイールアーチ沿いの空間部を経由してエアベンチレーションが行われるように構成された車両の後部構造であって、上記フェンダパネルよりも内側に位置するパネル部材、または該パネル部材と車体後壁部との間にエアの流通路となる開口部が形成されるとともに、上記パネル部材には、その外方側部において上記フェンダパネルとの間に設けられた空間部を上下に区画する第１仕切部材が設けられ、かつ上記トリム部材の背面側には第１仕切部材と当接する第２仕切部材が設けられ、該第１，第２仕切部材により区画された下方の空間部を介してエアベンチレーションが行われるように構成されたことを特徴とする車両の後部構造。
【請求項２】
第１仕切部材が、上記パネル部材に設けられた保持部材と、該保持部材に取り付けられた熱発泡性樹脂材からなるシート部材を有し、該シート部材が車体の塗装乾燥工程で加熱されて発泡することにより上記フェンダパネルおよびパネル部材に密着した状態となるよう構成されたことを特徴とする請求項１に記載の車両の後部構造。
【請求項３】
第２仕切部材が、上記トリム部材の裏面側に取り付けられるとともに、上記保持部材の内側面に密着する帯状弾性体を備えたことを特徴とする請求項１または２に記載の車両の後部構造。
【請求項４】
帯状弾性体が、上記保持部材の内側面に密着する横長部分と、その一端側に連続して上記パネル部材に密着する縦長部分とを備えたことを特徴とする請求項１〜３のいずれか１項に記載の車両の後部構造。
【請求項５】
車体の後部にバックドアが開閉可能に設置された後方開口部と、その周辺部に沿って設置された車体後壁部とを有するとともに、上記パネル部材としてのホイールハウスアウタパネルの後端部が上記車体後壁部の側辺部と所定距離を置いてその前方側に配設されることにより、上記ホイールハウスアウタパネルの後端部と車体後壁部の側辺部との間にエアの流通路となる開口部が形成され、かつ上記ホイールハウスアウタパネルの後端部と車体後壁部の側辺部との間に上記第１仕切部材が設置されたことを特徴とする請求項１〜３のいずれか１項に記載の車両の後部構造。
【発明の詳細な説明】
【技術分野】
【０００１】
本発明は、車両後方に設けられた荷室の側方部に沿って設置されたフェンダパネルおよび荷室内側のトリム部材を備えた車両の後部構造に関するものである。
【背景技術】
【０００２】
従来、下記特許文献１に示されるように、車両後部の車幅方向両側に配置されるクォータアウタパネル部材と、クォータアウタパネル部材の車幅方向内側に配置されるクォータインナパネル部材と、クォータインナパネル部材よりも後方でクォータアウタパネル部材間に接合され、一方のパネル部材から他方のパネル部材まで連続するフロア面を形成するフロアパネル部材と、フロアパネル部材の後端に接合およびクォータアウタパネル部材の後端に接合されたリヤエンドパネル部材とを有し、クォータインナパネル部材の後端からリヤエンドパネル部材までの間に、クォータアウタパネル部材で区画した荷室部を形成してなる車体後部と、荷室部をなすクォータアウタパネル部材とフロアパネル部材との接合部に沿って配置され、前端部がクォータインナパネル部材に接合され、後端部がリヤエンド部材に接合され、中間部がフロアパネル部材およびクォータアウタパネル部材と３点打点溶接で接合されてなる接合プレート部材とを有した構造とすることにより、既にあるフロアパネル部材とクォータアウタパネル部材との接合構造を流用して、クォータインナパネル部材とリヤエンドパネル部間に接合プレートを設け、車体後部の剛性強度を高めることが行われている。
【先行技術文献】
【特許文献】
【０００３】
【特許文献１】特開２００８−１５５７１４号公報
【発明の概要】
【発明が解決しようとする課題】
【０００４】
上記特許文献１に開示された車両の車体構造では、車両の軽量化を図るために、サイドドアパネルのうち車体後部を形成するクォータアウタパネル部の内面のうち、後輪アーチ部の付近から前方側だけに、クォータインナパネル部材を設けたセダンタイプの車両において、上記クォータアウタパネル部材とフロアパネル部材とに沿って該クォータアウタパネル部材およびフロアパネル部材とリヤエンド部材とを接合する上記接合プレート部材を設けため、簡単な構成で、荷室部のフロア高さの低下に伴う車体剛性の低下を効果的に抑制することが可能である。
【０００５】
しかし、上記車体後部の荷室部を区画するクォータアウタパネル部材に設けられたベンチレーション用開口部から後部車体内に侵入した車外の騒音が、上記クォータアウタパネルとのその内方側に配設されたトリム部材との間においてホイールアーチ沿いに形成された大きな空間部に伝播され、該空間部から車室内に上記騒音が侵入し易いという問題がある。特に、上記後部荷室と車室内部とが完全に区画された状態にないハッチバックタイプの車両では、車外の騒音が車室内に進入するのを効果的に防止することができないため、上記トリム部材の裏面の広範囲に吸音材を設置する等の手段を講じる必要があった。
【０００６】
本発明は、上記の問題点に鑑みてなされたものであり、車外の騒音が車体の後部に設けられたベンチレーション用の開口から車室内に侵入するのを簡単な構成で効果的に防止できる車両の後部構造を提供することを目的としている。
【課題を解決するための手段】
【０００７】
請求項１に係る発明は、車両の後方に設けられた荷室の側方部に沿って設置されたフェンダパネルおよび荷室内側のトリム部材に形成された第１，第２開口により、ホイールアーチ沿いの空間部を経由してエアベンチレーションが行われるように構成された車両の後部構造であって、上記フェンダパネルよりも内側に位置するパネル部材、または該パネル部材と車体後壁部との間にエアの流通路となる開口部が形成されるとともに、上記パネル部材には、その外方側部において上記フェンダパネルとの間に設けられた空間部を上下に区画する第１仕切部材が設けられ、かつ上記トリム部材の背面側には第１仕切部材と当接する第２仕切部材が設けられ、該第１，第２仕切部材により区画された下方の空間部を介してエアベンチレーションが行われるように構成されたものである。
【０００８】
請求項２に係る発明は、上記請求項１に記載の車両の後部構造において、第１仕切部材が、上記パネル部材に設けられた保持部材と、該保持部材に取り付けられた熱発泡性樹脂材からなるシート部材とを有し、該シート部材が車体の塗装乾燥工程で加熱されて発泡することにより上記フェンダパネルおよびパネル部材に密着した状態となるよう構成されたものである。
【０００９】
請求項３に係る発明は、上記請求項１または２に記載の車両の後部構造において、第２仕切部材が、上記トリム部材の裏面側に取り付けられるとともに、上記保持部材の内側面に密着する帯状弾性体を備えたものである。
【００１０】
請求項４に係る発明は、上記請求項１〜３のいずれか１項に記載の車両の後部構造において、帯状弾性体が、上記保持部材の内側面に密着する横長部分と、その一端側に連続して上記パネル部材に密着する縦長部分とを備えたものである。
【００１１】
請求項５に係る発明は、上記請求項１〜３のいずれか１項に記載の車両の後部構造において、車体の後部にバックドアが開閉可能に設置された後方開口部と、その周辺部に沿って設置された車体後壁部とを有するとともに、上記パネル部材としてのホイールハウスアウタパネルの後端部が上記車体後壁部の側辺部と所定距離を置いてその前方側に配設されることにより、上記ホイールハウスアウタパネルの後端部と車体後壁部の側辺部との間にエアの流通路となる開口部が形成され、かつ上記ホイールハウスアウタパネルの後端部と車体後壁部の側辺部との間に上記第１仕切部材が設置されたものである。
【発明の効果】
【００１２】
請求項１に係る発明では、上記第１仕切部材および第２仕切部材を介して車体側壁部に形成された大容量の空間部を上下に区画してエアベンチレーションが行われるように構成したため、例えばサイドドアの閉止時に、上記トリム部材の第２開口から上記空間部内に流入した空気を上記エア流通用の開口部とフェンダパネルに形成された第１開口とを介して車外に排出させることができ、上記サイドドアの閉止時等に、車室内の圧力が上昇することに起因して乗員が不快感を受けることを効果的に防止できるという利点がある。そして、上記フェンダパネルの第１開口から車体側壁部に侵入した車外の騒音が、ホイールアーチ沿いにその上方の空間部に伝達されるのを上記第１仕切部材および第２仕切部材により効果的に防止することができるため、上記トリム部材の裏面の広範囲に吸音材を設置する等の手段を講じることなく、上記車外の騒音が車室内に進入するのを簡単な構成で効果的に防止することができる。
【００１３】
請求項２に係る発明では、ホイールハウスアウタパネル等からなるパネル部材に設けられた保持部材と、該保持部材に取り付けられた熱発泡性樹脂材からなるシート部材とにより上記第１仕切部材を構成し、上記シート部材を車体の塗装乾燥工程で加熱して発泡させることによりフェンダパネルおよび上記パネル部材に密着させるよう構成したため、該フェンダパネルおよびパネル部材が複雑な形状を有する場合においても、上記塗装乾燥工程の熱を利用して該パネル部材等に上記シート部材を確実に密着させることができ、上記シート部材を有する第１仕切部材を利用して車体側壁部に形成された大容量の空間部を適正に区画できるという利点がある。
【００１４】
請求項３に係る発明では、トリム部材の裏面側に取り付けられた帯状弾性体により上記第２仕切部材を構成したため、該帯状弾性体をトリム部材に取り付けた状態で、これらを一体的に車体へ組み付けることができる。また、上記トリム部材および第１，第２仕切部材の形状精度やその取付位置にバラツキがあっても、上記帯状弾性体と第１仕切部材を構成する上記保持部材とをピッタリと密着させた状態で設置することができるため、第１，第２仕切部材により上記空間部を効果的に区画できるという利点もある。
【００１５】
請求項４に係る発明では、上記第２仕切部材の帯状弾性体を、保持部材の内側面に密着する横長部分と、その一端側に連続してホイールハウスアウタパネル等からなるパネル部材に密着する縦長部分とにより構成したため、該縦長部分により上記トリム部材とパネル部材との間を適正にシールして上記第１，第２仕切部材による仕切機能を充分に満足できるものとすることができる。
【００１６】
請求項５に係る発明では、車体の後部にバックドアが開閉可能に設置された後方開口部と、その周辺部に沿って設置された車体後壁部とを有する車両の後部構造において、上記ホイールハウスアウタパネルの後端部を上記車体後壁部の側辺部と所定距離を置いてその前方側に配設することにより、上記ホイールハウスアウタパネルの後端部と車体後壁部の側辺部との間にエアの流通路となる開口部を形成し、かつ上記ホイールハウスアウタパネルの後端部と車体後壁部の側辺部との間に上記第１仕切部材を設置したため、車体重量を効果的に低減しつつ、上記開口部を介してエアベンチレーション機能を充分に確保することができ、かつ上記フェンダパネルに形成された第１開口から車体側壁部に侵入した車外の騒音がホイールアーチ沿いに上記空間部の上方に伝播するのを効果的に防止できるという利点がある。
【図面の簡単な説明】
【００１７】
【図１】本発明に係る車両の後部構造の実施形態を示す斜視図である。
【図２】上記車両の後部構造の具体的構成を示す平面断面図である。
【図３】図２のＩＩＩ−ＩＩＩ線断面図である。
【図４】図２のＩＶ−ＩＶ線断面図である。
【図５】トリム部材を取り外した状態を示す図１相当図である。
【図６】第１仕切部材の具体的構成を示す斜視図である。
【図７】第２仕切部材をトリム部材に取り付けた状態を示す斜視図である。
【発明を実施するための形態】
【００１８】
図１〜図５は、本発明に係る車両の後部構造の実施形態を示している。該車両は、車体の底面部を構成するフロアパネル１と、車体の後部に設けられた荷室２と、その側方部に沿って設置された車体側壁部３と、車体の後端部に設けられた車体後壁部４とを有している。該車体後壁部４には、図略のバックドアが開閉可能に設置された後方開口部５の側辺部に沿って上下方向に延びるリヤピラー６が設けられている。上記フロアパネル１は、乗員用シート（図示せず）が設置される車室内フロア部７と、その後方に設けられたリヤフロア部８とを具備し、該リヤフロア部８の上方に上記荷室２が形成されている。
【００１９】
上記リヤフロア部８の左右両側辺部には、リヤサイドフレーム１０が車両の前後方向に延びるように設置されている。図３に示すように、該リヤサイドフレーム１０は、フロアパネル１の上方へ膨出した段部を形成する上側部材１１と、フロアパネル１の下方に凹入した断面コ字状部を有する下側部材１２とを有し、これらの上側部材１１および下側部材１２により車両の前後方向に延びる閉断面がそれぞれ形成されている。
【００２０】
上記車体側壁部３は、図３および図４に示すように、車体の外側壁を構成するフェンダパネル１３と、その車幅方向内方側に配設されたホイールハウスアウタパネル１４およびホイールハウスインナパネル１５とを有し、該ホイールハウスインナパネル１５の荷室内側にはトリム部材１６が所定距離を置いて配設されている。上記フェンダパネル１３の後部下方には、エアベンチレーション用の第１開口１７が、図示を省略したリヤバンパの側端部により覆われる位置に形成されている。
【００２１】
上記ホイールハウスアウタパネル１４には、リヤホイールの収容部となる第１膨出部１８が車外側に向けて突設されている。そして、上記ホイールハウスアウタパネル１４の後端部が、上記車体後壁部４のリヤピラー６と所定距離を置いてその前方側に配設されることにより、上記ホイールハウスアウタパネル１４の後端部と車体後壁部４のリヤピラー６との間に、エアの流通路となる開口部１９が形成されている（図５参照）。
【００２２】
上記ホイールハウスインナパネル１５には、リヤホイールの収容部となる第２膨出部２０が車内側に向けて突設されている。また、上記ホイールハウスインナパネル１５の後端部は、上記ホイールハウスアウタパネル１４と同様に、車体後壁部４のリヤピラー６と所定距離を置いてその前方側に配設されている。
【００２３】
上記トリム部材１６には、ホイールハウスインナパネル１５の第２膨出部２０と所定距離を置いてその車内側面部を覆うように車内側に突出した膨出部２１が形成されている。また、上記トリム部材１６の後部には、図１〜図３に示すように、ホイールハウスアウタパネル１４の後端部と車体後壁部４との間に形成されたエア流通用の開口部１９に沿って車外側に凹入した凹入部２２が設けられている。
【００２４】
上記凹入部２２には、ホイールハウスアウタパネル１４と車体後壁部４との間に形成された上記開口部１９を介して上記フェンダパネル１３の第１開口１７に対向する位置に吸音材２３が設けられるとともに、その上方にエアベンチレーション用の第２開口２４が形成されている（図３参照）。これにより、上記ホイールハウスアウタパネル１４の第１膨出部１８と、ホイールハウスインナパネル１５の第２膨出部２０とからなるホイールアーチ沿いの空間部を介してエアベンチレーションが行われるようになっている。
【００２５】
上記ホイールハウスアウタパネル１４には、その外方側部において上記フェンダパネル１３との間に設けられた空間部を上下に区画する第１仕切部材２５が設けられている。また、上記トリム部材１６の背面側には、第１仕切部材２５と当接する第２仕切部材２６が設けられている。そして、上記第１，第２仕切部材２５，２６によりフェンダパネル１３とトリム部材１６との間が上下の空間部２７，２８に区画され、該下方の空間部２８を経由してエアベンチレーションが行われるように構成されている。
【００２６】
上記第１仕切部材２５は、ホイールハウスアウタパネル１４に取り付けられる合成樹脂製のブラケットからなる保持部材２９と、該保持部材２９に取り付けられた熱発泡性樹脂材からなるシート部材３０とを有している。上記第１仕切部材２５の保持部材２９は、図６および図７に示すように、前端部に設けられた固定部３１と、該固定部３１から車体の後方側に延びる所定幅の縦壁部３２と、該縦壁部３２の後端に設けられた断面コ字状部の係止部３３とを有している。
【００２７】
また、上記保持部材２９の縦壁部３２には、補強用リブ３４と、上記シート部材３０の取付板３５とが車外側に向けて突設され、該取付板３５の上面にシート部材３０が接着される等により固定されている。そして、上記保持部材２９の固定部３１がホイールハウスアウタパネル１４の後辺部にボルト止めされるとともに、車体後壁部４のリヤピラー６に設けられたフランジ部に上記係止部３３が外嵌されて係止されることにより、上記保持部材２９が車体側壁部３に取り付けられるように構成されている（図３および図５参照）。
【００２８】
上記保持部材２９が車体側壁部３に取り付けられた状態で車体の塗装乾燥部に搬入され、上記取付板３５に固定されたシート部材３０が所定温度に加熱されて発泡することにより、図３に破線で示す状態から実線で示すように、上記シート部材３０が膨張するように構成されている。これにより該シート部材３０がフェンダパネル１３の車内側面に密着した状態となるとともに、上記ホイールハウスアウタパネル１４からなるパネル部材、具体的には上記リヤホイールの収容部となる第１膨出部１８および上記リヤピラー６の外側面に密着した状態となる。
【００２９】
上記第２仕切部材２６は、トリム部材１６の裏面から車外側に向けて突設された取付板４０と、その先端面に取り付けられた合成ゴム製の帯状弾性体３６とからなっている。該帯状弾性体３６は、その先端部が上記保持部材２９の内側面に圧接されて密着した状態となる横長部分３７と、その後端側に連続して下方側に延びるとともに、その先端部が上記ホイールハウスアウタパネル１４からなるパネル部材、具体的には上記リヤホイールの収容部となる第２膨出部２０に圧接されて密着した状態となる縦長部分３８とにより構成されている。なお、上記トリム部材１６の後部に設けられた凹入部２２の上面には、図７に示すように、リヤコンビランプ（図示せず）のメンテナンスを行うための開口部３９が形成され、該開口部３９には図外のカバー部材が着脱可能に係止されるようなっている。
【００３０】
上記のように車両の後方に設けられた荷室２の側方部に沿って設置されたフェンダパネル１３および荷室内側のトリム部材１６に形成された第１，第２開口１７，２４により、ホイールアーチ沿いの空間部を経由してエアベンチレーションが行われるように構成された車両の後部構造であって、上記フェンダパネル１３よりも内側に位置するホイールハウスアウタパネル１４等からなるパネル部材、または該パネル部材と車体後壁部４との間にエアの流通路となる開口部１９が形成されるとともに、上記パネル部材には、その外方側部において上記フェンダパネル１３との間に設けられた空間部を上下に区画する第１仕切部材２５が設けられ、かつ上記トリム部材１６の背面側には第１仕切部材２５と当接する第２仕切部材２６が設けられ、該第１，第２仕切部材２５，２６により区画された下方の空間部２８を介してエアベンチレーションが行われるように構成したため、車外の騒音が車体の後部に設けられたベンチレーション用の開口から車室内に侵入するのを簡単な構成で効果的に防止できるという利点がある。
【００３１】
すなわち、上記実施形態では、車体の後部にバックドアが開閉可能に設置された後方開口部５と、その周辺部に沿って設置された車体側壁部３を構成するリヤピラー６とが設けられたいわゆるハッチバックタイプの車両において、ホイールハウスアウタパネル１４の後端部を上記車体後壁部４の側辺部、つまり上記リヤピラー６の前方側に配設して、上記ホイールハウスアウタパネル１４の後端部とリヤピラー６との間にエアの流通路となる開口部１９を形成し、上記第１仕切部材２５の前端部をホイールハウスアウタパネル１４の後端部に支持させるとともに、上記第１仕切部材２５の後端部をリヤピラー６の前面に支持させることにより、該第１仕切部材２５と上記トリム部材１６の背面側に設けられた第２仕切部材２６とを介して、上記車体側壁部３に形成された大容量の空間部を上下に区画し（図２参照）、下方の空間部２８を介してエアベンチレーションが行われるように構成したため、例えばサイドドアの閉止時に、上記トリム部材１６に形成された第２開口２４から該空間部２８内に流入した空気を、上記エア流通用の開口部１９とフェンダパネル１３に形成された第１開口１７とを介して車外に排出させることができる。これにより上記サイドドアの閉止時等に、車室内の圧力が上昇することに起因して乗員が不快感を受けることを効果的に防止できるという利点がある。
【００３２】
そして、上記フェンダパネル１３の第１開口１７から車体側壁部３に侵入した車外の騒音が、上記ホイールハウスアウタパネル１４の第１膨出部１８およびホイールハウスインナパネル１５の第２膨出部２０からなるホイールアーチ沿いにその上方の空間部２７に伝達されるのを、上記第１仕切部材２５と第２仕切部材２６により効果的に防止することができる。したがって、上記トリム部材１６の裏面の広範囲に吸音材を設置する等の手段を講じることなく、例えば上記フェンダパネル１３の第１開口１７に対向した部分等の限られた位置に吸音材２３が設けるという簡単な構成で、上記フェンダパネル１３とその内方側に配設されたトリム部材１６との間においてホイールアーチ沿いに形成された上方空間部２７から車室内に上記車外の騒音が車室内に進入するのを効果的に防止することができる。
【００３３】
また、上記実施形態では、ホイールハウスアウタパネル１４からなるパネル部材に取り付けられた保持部材２９と、該保持部材２９の取付板３５に固定された熱発泡性樹脂材からなるシート部材３０とにより第１仕切部材２５を構成し、該シート部材３０を車体の塗装乾燥工程で加熱して発泡させることによりフェンダパネル１３およびホイールハウスアウタパネル１４に密着させるよう構成したため、該フェンダパネル１３およびホイールハウスアウタパネル１４等からなるパネル部材が複雑な形状を有する場合においても、上記塗装乾燥工程の熱を利用して該パネル部材に上記シート部材３０を確実に密着させることができる。
【００３４】
したがって、上記ホイールハウスアウタパネル１４等からなるパネル部材に対応した複雑な形状にシート部材３０を予め形成したり、該シート部材３０を上記パネル部材に密着させた状態で取り付けたりする等の繁雑な作業を要することなく、上記シート部材３０を有する第１仕切部材２５を利用して車体側壁部３に形成された大容量の空間部を適正に区画できるという利点がある。
【００３５】
また、上記実施形態に示すように、トリム部材１６の裏面側に取り付けられた第２仕切部材２６の帯状弾性体３６を上記保持部材２９の内側面に密着させるように構成した場合には、上記帯状弾性体３６をトリム部材１６に取り付けた状態でこれらを一体的に車体へ組み付けることができる。そして、上記トリム部材１６および第１，第２仕切部材２５，２６の形状精度や、その取付位置にバラツキがあっても、上記第２仕切部材２６の帯状弾性体３６と、第１仕切部材２５を構成する上記保持部材２９とをピッタリと密着させた状態で設置することができるため、第１，第２仕切部材２５，２６により上記空間部を効果的に区画できるという利点がある。
【００３６】
さらに、上記第２仕切部材２６の帯状弾性体３６を、上記保持部材２９の内側面に密着する横長部分３７と、その一端側に連続して上記ホイールハウスアウタパネル１４からなるパネル部材に密着する縦長部分３８とにより構成した場合には、該縦長部分３８により上記トリム部材１６とホイールハウスアウタパネル１４との間を適正にシールして上記第１，第２仕切部材２５，２６による仕切機能を充分に満足できるものとすることができる。
【００３７】
また、上記実施形態では、車体の後部にバックドアが開閉可能に設置された後方開口部５と、その周辺部に沿って設置された車体後壁部４とを有するとともに、上記ホイールハウスアウタパネル１４の後端部を、上記車体後壁部４のリヤピラー６からなる側辺部と所定距離を置いてその前方側に配設することにより、上記ホイールハウスアウタパネル１４の後端部と車体後壁部５のリヤピラー６との間にエアの流通路となる大きな開口部１９を形成したため、車体重量を効果的に低減できるとともに、上記開口部１９を介してエアベンチレーション機能を充分に確保できるという利点がある。
【００３８】
そして、上記ホイールハウスアウタパネル１４の後端部と車体後壁部５のリヤピラー６との間に上記第１仕切部材２５を設置して、ホイールハウスアウタパネル１４とフェンダパネル１３との間に位置する空間部を上下に区画するように構成したため、上記フェンダパネル１３に形成された第１開口１７から車体側壁部３に侵入した車外の騒音がホイールアーチ沿いに上記空間部の上方に伝播するのを効果的に防止することができる。
【００３９】
なお、上記ホイールハウスアウタパネル１４の後端部と車体後壁部５のリヤピラー６との間にエアの流通路となる開口部１９を形成してなる上記実施形態に代え、ホイールハウスアウタパネル１４の後部を切り欠くことによりエアの流通路となる開口部を形成した構造とすることも可能である。
【符号の説明】
【００４０】
２  荷室
４  車体後壁部
１３  フェンダパネル
１４  ホイールハウスアウタパネル
１５  ホイールハウスインナパネル
１６  トリム部材
１７  第１開口
１９  エアの流通路となる開口部
２４  第２開口
２５  第１仕切部材
２６  第２仕切部材
２７  下方の空間部
２９  保持部材
３０  シート部材
３７  横長部分
３８  縦長部分
【図１】
0005494500.tif 000002
【図２】
0005494500.tif 000003
【図３】
0005494500.tif 000004
【図４】
0005494500.tif 000005
【図５】
0005494500.tif 000006
【図６】
0005494500.tif 000007
【図７】
0005494500.tif 000008